(57)【要約】【課題】弁体の開閉動作の速度を制御して、弁体が弁座に激しく衝突するのを確実に防止し得るスイング逆止弁を提供する。【解決手段】スイング逆止弁３の弁箱９の外壁にシリンダー装置２０を付設し、弁体を開状態と閉状態に揺動可能に支持する弁棒１１とシリンダー装置２０のピストン２２を連結機構で連結し、弁体の開閉動作とピストン２２の往復移動が連動するようにする。さらに、シリンダー装置２０のシリンダー室２５内に流出入する流体の流路となる連通管２８に流量調整弁２６を介装して、流量を適宜に設定する。シリンダー室２５内に流出入する流体の流量を調整することで、ピストン２２の移動が緩慢となって弁体の開閉動作のブレーキとして作用し、弁体を緩慢に動作させることができる。弁体の開動作と連動するピストン２２の移動により容積を拡大させるシリンダー室２５を連通管２８により弁体の上流側に連通しても良い。【選択図】  図１
2006266416.tif 000002
【特許請求の範囲】
【請求項１】
流路内の流体を一方向にのみ流して逆流を阻止するために前記流路に設けられるスイング逆止弁において、弁箱の外壁にシリンダー装置を付設し、前記スイング逆止弁の弁体を開状態と閉状態に揺動可能に支持する弁棒と前記シリンダー装置のピストンを連結機構で連結して、前記弁体の開閉動作と前記ピストンの往復移動が連動するようになし、前記シリンダー装置のシリンダー室内に流出入する流体の流路に流量調整手段を設けて構成したことを特徴とするスイング逆止弁。
【請求項２】
流路内の流体を一方向にのみ流して逆流を阻止するために前記流路に設けられるスイング逆止弁において、弁箱の外壁にシリンダー装置を付設し、前記スイング逆止弁の弁体を開状態と閉状態に揺動可能に支持する弁棒と前記シリンダー装置のピストンを連結機構で連結して、前記弁体の開閉動作と前記ピストンの往復移動が連動するようになし、前記弁体の開動作と連動する前記ピストンの移動により容積を拡大させる前記シリンダー装置のシリンダー室を前記弁体の上流側に連通し、その連通流路に流量調整手段を設けて構成したことを特徴とするスイング逆止弁。
【請求項３】
流路内の流体を一方向にのみ流して逆流を阻止するために前記流路に設けられるスイング逆止弁において、弁箱の外壁にシリンダー装置を付設し、前記スイング逆止弁の弁体を開状態と閉状態に揺動可能に支持する弁棒と前記シリンダー装置のピストンを連結機構で連結して、前記弁体の開閉動作と前記ピストンの往復移動が連動するようになし、前記弁体の閉動作と連動する前記ピストンの移動により容積を拡大させる前記シリンダー装置のシリンダー室を前記弁体の下流側に連通し、その連通流路に流量調整手段を設けて構成したことを特徴とするスイング逆止弁。
【請求項４】
流路内の流体を一方向にのみ流して逆流を阻止するために前記流路に設けられるスイング逆止弁において、弁箱の外壁にシリンダー装置を付設し、前記スイング逆止弁の弁体を開状態と閉状態に揺動可能に支持する弁棒と前記シリンダー装置のピストンを連結機構で連結して、前記弁体の開閉動作と前記ピストンの往復移動が連動するようになし、前記弁体の開動作と連動する前記ピストンの移動により容積を拡大させる前記シリンダー装置のシリンダー室を前記弁体の上流側に連通し、前記弁体の閉動作と連動する前記ピストンの移動により容積を拡大させる前記シリンダー装置の他方のシリンダー室を前記弁体の下流側に連通し、前記シリンダー室内にそれぞれ連通する連通流路のいずれか一方または双方に流量調整手段を設けて構成したことを特徴とするスイング逆止弁。
【請求項５】
請求項１ないし４記載のいずれかのスイング逆止弁において、自重により前記弁体が閉方向に揺動する力を減殺するように、前記弁棒にバランス調整手段を設けて構成したことを特徴とするスイング逆止弁。
【請求項６】
請求項１ないし４記載のいずれかのスイング逆止弁において、前記流量調整手段を前記シリンダー室への流体の流入と流出とで異なる流量調整に設定し得るように構成したことを特徴とするスイング逆止弁。
【発明の詳細な説明】
【技術分野】
【０００１】
本発明は、流路内の流体を一方向にのみ流して逆流を阻止するために流路に設けられるスイング逆止弁において、急激な弁体の開閉動作を防止するようにしたスイング逆止弁に関するものである。
【背景技術】
【０００２】
従来のスイング逆止弁の一例を図９を参照して説明する。図９は、従来のスイング逆止弁の一例の構造を示す縦断面図である。図９において、スイング逆止弁３は、弁箱９内に弁体１０が弁棒１１により揺動自在に支持され、実線で示したように、流体を流す方向と反対方向に弁体１０が自重により揺動して弁座１２に密着当接して閉状態となるように構成されている。そして、破線で示したように、弁体１０は自重の力に抗して押し開けられて流体を流す方向に揺動されて開状態となるように構成されている。かかる構成で、上流側の流体の圧力が下流側より高ければ、その圧力差で弁体１０は流体を流す方向に揺動して弁座１２から離れ、流体の通過を許容する。そして、下流側の流体の圧力が上流側より高ければ、その圧力差および弁体１０の自重で、弁体１０は流体を流す方向とは逆方向に揺動して弁座１２に密着当接して、流体の逆方向の通過を阻止する。
【０００３】
上述の従来のスイング逆止弁３では、上流側が下流側より高い圧力である際に、その圧力差で弁体１０が押し開けられて開状態となるために、圧力差が小さいと、弁体１０の自重が閉方向に作用しているために、弁体１０を押し開ける力が小さくて全開位置まで開成できず、弁体１０は中途の開度で保持される。すると、弁体１０により流路面積が狭搾されて流路抵抗が大きくなり、それだけ圧力損失を生ずるという問題があった。また、上流側が下流側より低い圧力による圧力差で弁体１０が弁座１２に押し付けられて密着して閉状態となって逆流の阻止がなされるが、その圧力差が小さいと、弁体１０を弁座１２に当接させる力が小さく、逆流方向の漏れを生ずる問題があった。
【０００４】
これらの不具合を改善する技術が、特開昭５６−１３４６７５号公報に示されている。この公報に示された技術は、以下のごときものである。スイング逆止弁の弁箱内にシリンダー装置を配設し、弁体を開状態と閉状態とに揺動自在に支持する弁棒とシリンダー装置のピストンを連結機構で連結して、弁体の開閉動作とピストンの往復移動が連動するようになされる。さらに、弁体の開動作と連動するピストンの移動により容積を拡大させるシリンダー室内を弁体の上流側に連通させ、弁体の閉動作と連動するピストンの移動により容積を拡大する他方のシリンダー室内を弁体の下流側に連通させている。
【特許文献１】特開昭５６−１３４６７５号公報
【０００５】
かかる構成にあっては、上流側が下流側より高い圧力であれば、その圧力差で弁体が押し開けられて開状態とする力が作用するのとともに、上流側の高い圧力の流体がシリンダー室内に流入してその容積を拡大してピストンを移動させて弁体を開状態とす力が作用する。もって、小さな圧力差であっても、弁体を完全開状態とすることができ、流路抵抗を小さくできて圧力損失を生ずることがない。また、上流側が下流側より低い圧力であれば、その圧力差で弁体が弁座に押し付けられて閉状態とする力が作用するとともに、下流側の高い圧力の流体が他方のシリンダー室内に流入してその容積を拡大してピストンを反対方向に移動させて弁体を閉状態とす力が作用する。もって、小さな圧力差であっても、弁体を弁座に確実に密着当接させて完全閉状態とすることができ、逆流方向の漏れを確実に阻止することができる。
【発明の開示】
【発明が解決しようとする課題】
【０００６】
上述の図９に示す構造の従来のスイング逆止弁３および特開昭５６−１３４６７５号公報に示されたスイング逆止弁のいずれにあっても、弁体１０が開閉動作する速度を制御する機構は何ら設けられていない。そこで、上流側より下流側の圧力が一時的に急激に高くなった場合等には、その圧力差と弁体１０の自重により、弁体１０が急激に閉方向に揺動されて弁座１２に激しく衝突し、弁体１０および弁座１２に損傷を生ずる場合があった。
【０００７】
例えば、図１０に示すごとく、複数台の曝気ブロア１、１が、スイング逆止弁３、３とその下流側に送気弁５、５をそれぞれに介して集合管７に連通され、この集合管７の他端が分岐されて散気装置８、８、８、８に連通された構成にあっては、１台の曝気ブロワ１が停止され、他方の曝気ブロワ１の運転が継続された場合に、曝気ブロワ１が停止された際に、それに連通するスイング逆止弁３は、下流側に運転が継続される他方の曝気ブロワ１の圧力が加わり、上流側が下流側より急激に低い圧力となり、上述のごとき弁体１０が弁座１２に衝突する等の不具合が生ずる。
【０００８】
また、弁体１０が弁座１２に近づき、流路内を流れる流体の流量が減少して行くと、ある流量の際に急に流路内の圧力と流れ速度に激しい脈動と振動を起こすサージングと称される現象が生ずる虞があることが知られている。しかし、このサージングの現象については、その要因が十分には未だ解明されておらず確実な対策がなされていない現状にある。そして、サージングが起こると、弁体１０が前後に激しく揺動され、弁体１０が弁座１２に繰り返して激しく衝突し、異常騒音を発するとともに弁体１０および弁座１２に損傷を生じさせる。
【０００９】
本発明は、上述のごとき事情に鑑みてなされたもので、弁体の開閉動作の速度を制御することで、弁体が弁座に激しく衝突するのを確実に防止し得るようにしたスイング逆止弁を提供することを目的とする。
【課題を解決するための手段】
【００１０】
本発明は上述のごとき問題点を解決するためになされたもので、本発明のスイング逆止弁は、流路内の流体を一方向にのみ流して逆流を阻止するために前記流路に設けられるスイング逆止弁において、弁箱の外壁にシリンダー装置を付設し、前記スイング逆止弁の弁体を開状態と閉状態に揺動可能に支持する弁棒と前記シリンダー装置のピストンを連結機構で連結して、前記弁体の開閉動作と前記ピストンの往復移動が連動するようになし、前記シリンダー装置のシリンダー室内に流出入する流体の流路に流量調整手段を設けて構成されている。
【００１１】
そして、本発明のスイング逆止弁は、流路内の流体を一方向にのみ流して逆流を阻止するために前記流路に設けられるスイング逆止弁において、弁箱の外壁にシリンダー装置を付設し、前記スイング逆止弁の弁体を開状態と閉状態に揺動可能に支持する弁棒と前記シリンダー装置のピストンを連結機構で連結して、前記弁体の開閉動作と前記ピストンの往復移動が連動するようになし、前記弁体の開動作と連動する前記ピストンの移動により容積を拡大させる前記シリンダー装置のシリンダー室を前記弁体の上流側に連通し、その連通流路に流量調整手段を設けて構成しても良い。
【００１２】
また、本発明のスイング逆止弁は、流路内の流体を一方向にのみ流して逆流を阻止するために前記流路に設けられるスイング逆止弁において、弁箱の外壁にシリンダー装置を付設し、前記スイング逆止弁の弁体を開状態と閉状態に揺動可能に支持する弁棒と前記シリンダー装置のピストンを連結機構で連結して、前記弁体の開閉動作と前記ピストンの往復移動が連動するようになし、前記弁体の閉動作と連動する前記ピストンの移動により容積を拡大させる前記シリンダー装置のシリンダー室を前記弁体の下流側に連通し、その連通流路に流量調整手段を設けて構成することもできる。
【００１３】
さらに、本発明のスイング逆止弁は、流路内の流体を一方向にのみ流して逆流を阻止するために前記流路に設けられるスイング逆止弁において、弁箱の外壁にシリンダー装置を付設し、前記スイング逆止弁の弁体を開状態と閉状態に揺動可能に支持する弁棒と前記シリンダー装置のピストンを連結機構で連結して、前記弁体の開閉動作と前記ピストンの往復移動が連動するようになし、前記弁体の開動作と連動する前記ピストンの移動により容積を拡大させる前記シリンダー装置のシリンダー室を前記弁体の上流側に連通し、前記弁体の閉動作と連動する前記ピストンの移動により容積を拡大させる前記シリンダー装置の他方のシリンダー室を前記弁体の下流側に連通し、前記シリンダー室内にそれぞれ連通する連通流路のいずれか一方または双方に流量調整手段を設けて構成することも可能である。
【００１４】
そしてまた、自重により前記弁体が閉方向に揺動する力を減殺するように、前記弁棒にバランス調整手段を設けて構成しても良い。
【００１５】
そしてさらに、前記流量調整手段を前記シリンダー室への流体の流入と流出とで異なる流量調整に設定し得るように構成しても良い。
【発明の効果】
【００１６】
請求項１記載のスイング逆止弁にあっては、弁体を揺動自在に支持する弁棒とシリンダー装置のピストンを連結機構で連結し、シリンダー室内に流出入する流体の流路に流量調整手段を設けているので、シリンダー室内に流出入する流体の流量が制御されて瞬時に流体が流出入することができず、設定された流量で徐々に流出入なされ、このシリンダー装置のピストンの緩慢な動作が弁体の揺動に対してブレーキとして作用し、弁体の揺動が緩慢なものとなる。そこで、上流側より下流側の圧力が一時的に急激に高くなっても、弁体が弁座に激しく衝突するようなことがない。また、サージングの現象が起きた場合にあっても、弁体はサージングの脈動と振動に対応して揺動できず、弁体が前後に激しく揺動されることがなく、弁体が弁座に繰り返して激しく衝突するようなこともない。
【００１７】
そして、請求項２記載のスイング逆止弁にあっては、弁体の開動作と連動するピストンの移動により容積を拡大させるシリンダー装置のシリンダー室を弁体の上流側に連通したので、上流側が下流側よりも高い圧力の場合に、高い圧力の上流側の流体がシリンダー室内に流入してその容積を拡大させてピストンを移動させ、このピストンの移動により弁体が完全開状態となって流路抵抗を小さくできる。
【００１８】
また、請求項３記載のスイング逆止弁にあっては、弁体の閉動作と連動するピストンの移動により容積を拡大させるシリンダー装置のシリンダー室を弁体の下流側に連通したので、上流側が下流側よりも低い圧力の場合に、高い圧力の下流側の流体がシリンダー室内に流入してその容積を拡大させてピストンを移動させ、このピストンの移動により弁体は弁座に確実に密着当接されて完全閉状態となり、もって逆流方向の漏れを確実に阻止できる。
【００１９】
さらに、請求項４記載のスイング逆止弁にあっては、弁体の開動作と連動するピストンの移動により容積を拡大させるシリンダー装置のシリンダー室を弁体の上流側に連通し、弁体の閉動作と連動するピストンの移動により容積を拡大させるシリンダー装置の他方のシリンダー室を弁体の下流側に連通したので、上流側が下流側よりも高い圧力の場合に、高い圧力の上流側の流体がシリンダー室内に流入してその容積を拡大させてピストンを移動させ、このピストンの移動により弁体が完全開状態となって流路抵抗を小さくでき、また上流側が下流側よりも低い圧力の場合に、高い圧力の下流側の流体が他方のシリンダー室内に流入してその容積を拡大させてピストンを移動させ、このピストンの移動により弁体は弁座に確実に密着当接されて完全閉状態となり、もって逆流方向の漏れを確実に阻止できる。
【００２０】
そしてまた、請求項５記載のスイング逆止弁にあっては、自重による弁体を閉方向に揺動する力を減殺するように、弁棒にバランス調整手段を設けたので、上流側が下流側より高い圧力の場合に、弁体を小さな圧力差でも確実に押し開けることができ、弁体により流路が狭搾されることがない。
【００２１】
そしてさらに、請求項６記載のスイング逆止弁にあっては、流量調整手段をシリンダー室への流体の流入と流出とで異なる流量調整に設定し得るようにしたので、シリンダー装置によるブレーキ作用を弁体の開動作と閉動作とで相違させて設定できる。そこで、弁体の開動作と閉動作の速度を相違させて適宜に設定し得る。
【発明を実施するための最良の形態】
【００２２】
以下、本発明の第１実施例を図１および図２を参照して説明する。図１は、本発明のスイング逆止弁の第１実施例の構造を示す図である。図２は、シリンダー装置の配管図であり、（ａ）はシリンダー室内が流量調整弁を介装した連通管の先端が大気に連通した構造を示す図であり、（ｂ）はシリンダー室内が流量調整弁とチェック弁を並列に介装した連通管の先端が液体中に没するように連通した別の構造を示す図である。
【００２３】
まず、スイング逆止弁３本体は、図９に示す従来例と全く同じである。そして、弁箱９の外壁にシリンダー装置２０が付設され、ピストン２２の連接棒２３がクランクアーム２４を介して弁棒１１に連結される。この弁棒１１は、弁箱９の外壁を適宜な気密状態で貫通して外方に突出されている。そして、クランクアーム２４は、弁棒１１に対して相対的に回転しないように固定されればよい。これらの連接棒２３とクランクアーム２４からなる連結機構により、弁体１０の開閉動作とピストン２２の往復移動が連動するようになされる。さらに、ピストン２２の移動によりその容積を拡大および縮小させるシリンダー装置２０のシリンダー室２５が流量調整手段としての流量調整弁２６を介装した流路としての連通管２８で大気に連通される。この配管構造が、図２（ａ）に示される。
【００２４】
かかる構成において、弁体１０の閉状態で、スイング逆止弁３の上流側が下流側よりも圧力が高くなると、その圧力差により弁体１０が自重に抗して開状態となる方向に揺動されて押し開けられる。この際、弁体１０の開方向への揺動に伴いピストン２２が移動してシリンダー装置２０のシリンダー室２５の容積を拡大しようとするが、流量調整弁２６によりシリンダー室２５に流入できる流量が設定されており、急激には流入できず、ブレーキとして作用し、弁体１０の開動作の速度が緩慢なものとなる。また、弁体１０の開状態で、スイング逆止弁３の上流側が下流側よりも圧力が低くなると、その圧力差および弁体１０の自重により弁体１０が閉状態となる方向に揺動される。この際、弁体１０の閉方向への揺動に伴いピストン２２が移動してシリンダー装置２０のシリンダー室２５の容積を縮小しようとするが、流量調整弁２６によりシリンダー室２５から流出できる流量が設定されており、急激には流出できず、ブレーキとして作用し、弁体１０の閉動作の速度が緩慢なものとなる。したがって、弁体１０は急激に開閉動作することがなく、弁体１０が弁座１２に急激に衝突して破損を生ずるようなことがない。しかも、弁体１０の開閉動作が緩慢となるために、サージングの現象に対してもその脈動と振動に対応して動作することがなく、弁体１０が弁座１２に繰り返して衝突するようなこともない。また、弁箱９の外壁にシリンダー装置２０を付設し、弁箱９の外部で弁棒１１とピストン２２を連結機構で連結しているので、スイング逆止弁３自体は図９に示すごとき従来の構造と同様なものを用いることができる。
【００２５】
ところで、図２（ａ）に示す配管構造では、弁体１０の開動作と閉動作とで、シリンダー装置２０と流量調整弁２６によるブレーキとして作用する力は同じである。しかし、図２（ｂ）に示す配管構造では、弁体１０の開動作と閉動作とで、ブレーキとして作用させる力を相違させることができ、一方の動作を他方の動作より早くするように設定することができる。しかも、そのブレーキ作用をより大きなものとすることができる。図２（ｂ）の配管構造にあっては、シリンダー室２５が、流量調整手段として流量調整弁２６とチェック弁３０が並列に介装して連通管２８に連通され、この連通管２８の先端が液体３２中に没するようになされている。この図２（ｂ）の配管構造では、シリンダー室２５の容積を拡大する弁体１０の開動作に対してチェック弁３０が順方向に設定されているので流入する流量は規制されずブレーキとしての作用が小さなものとなり、またシリンダー室２５の容積を縮小する弁体１０の閉動作に対してチェック弁３０が逆方向に設定されているので流出する流量は規制されてブレーキとしての作用が大きなものとなる。よって、弁体１０の動作方向により、ブレーキの作用が相違することとなる。しかも、シリンダー室２５に流出入する流体を、大気よりも粘性の大きな液体３２とすることで、より大きなブレーキとしての作用が得られる。
【００２６】
なお、上記の第１実施例において、弁体１０の開動作で容積が拡大されるシリンダー室２５に流体を流出入させているが、これに限られず、弁体１０の開動作で容積が縮小される他方のシリンダー室に流体を流出入させても良いことは容易に理解されるであろう。そして、弁体１０の開動作で容積が拡大されるシリンダー室２５と容積が縮小される他方のシリンダー室の双方に、流体を流出入させても良いことは勿論である。さらに、流量調整手段は、図２（ａ）に示すごとく１つの流量調整弁２６による構成や、図２（ｂ）に示すごとく流量調整弁２６とチェック弁３０の並列回路による構成に限られず、流量調整弁２６とチェック弁３０の並列回路に第２の流量調整弁が直列に接続されても良く、また第２の流量調整弁とチェック弁３０の直列回路に流量調整弁２６が並列に接続されても良い。しかも、弁体１０の開動作および閉動作のいずれに対してブレーキ作用が大きくなるように設定するかは、チェック弁３０を接続する方向を適宜に設定すれば良いことは容易に理解し得るであろう。
【００２７】
次に、本発明の第２実施例を図３および図４を参照して説明する。図３は、本発明のスイング逆止弁の第２実施例の構造を示す図である。図４は、図３のシリンダー装置の配管図である。図３および図４において、図１および図２と同じまたは均等な部材には同じ符号を付けて重複する説明を省略する。
【００２８】
第２実施例において、第１実施例と相違するところは、連通流路としての連通管２８の先端が、弁体１０より上流側の上流側弁箱フランジ３４に穿設されて流路に連通する連通孔に接続されたことにある。また、弁棒１１に固定連結されるクランクアーム２４は、連接棒２３と連結されるのと反対側に大きく伸ばされ、その反対側に大きく伸びた部分にバランス調整手段としての重り３６が配設されたことにある。なお、ピストン２２に対してシリンダー室２５と反対側にある他方のシリンダー室３８は大気に連通されている。
【００２９】
かかる構成において、弁体１０をその自重により閉方向に揺動させるように作用する力に対して、重り３６により反対方向に揺動させる力を作用させて、相互に打ち消し合わせ、弁体１０の自重による影響を排除することができる。そこで、上流側が下流側よりも僅かに圧力が高いだけでも、その圧力差により弁体１０を開状態となる方向に十分に揺動させて押し開けることができる。そして、連通管２８の先端を弁体１０の上流側に連通することで、上流側の高い圧力の流体がシリンダー室２５に流入してピストン２２を移動させ、このピストン２２に連接棒２３とクランクアーム２４により連結される弁体１０を開方向に揺動させる。もって、弁体１０を完全開状態とすることができる。なお、第１実施例と同様に、弁体１０の開閉動作の速度は、流量調整弁２６により緩慢なものとなることは勿論である。
【００３０】
そして、本発明の第３実施例を図５および図６を参照して説明する。図５は、本発明のスイング逆止弁の第３実施例の構造を示す図である。図６は、図５のシリンダー装置の配管図である。図５および図６において、図１ないし図４と同じまたは均等な部材には同じ符号を付けて重複する説明を省略する。
【００３１】
第３実施例において、第１実施例と相違するところは、シリンダー装置２０の他方のシリンダー室３８（ピストン２２に対してシリンダー室２５と反対側にあり、弁体１０の開動作でその容積が縮小される）が、流量調整弁４０を介装して連通流路としての連通管４２の先端が、弁体１０より下流側の下流側弁箱フランジ４４に穿設されて流路に連通する連通孔に接続されたことにある。また、弁棒１１に固定連結されるクランクアーム２４は、連接棒２３と連結される先端部がバランス調整手段としてのコイルバネ４６により弁体１０を開方向に揺動させるように弾性付勢されていることにある。なお、シリンダー室２５は大気に連通されている。
【００３２】
かかる構成において、弁体１０をその自重により閉方向に揺動させるように作用する力に対して、コイルバネ４６の弾力により打ち消し、弁体１０の動作がその自重にり影響されないようにされている。そして、連通管４２の先端を弁体１０の下流側に連通することで、下流側の高い圧力の流体が他方のシリンダー室３８に流入してピストン２２を移動させ、このピストン２２の移動により弁体１０を閉方向に揺動させる。もって、弁体１０を弁座１２に確実に密着当接させて完全閉状態とすることができる。なお、第１実施例と同様に、弁体１０の開閉動作の速度は、流量調整弁４０により緩慢なものとなることは勿論である。
【００３３】
さらに、本発明の第４実施例を図７および図８を参照して説明する。図７は、本発明のスイング逆止弁の第４実施例の構造を示す図である。図８は、図７のシリンダー装置の配管図である。図７および図８において、図１ないし図６と同じまたは均等な部材には同じ符号を付けて重複する説明を省略する。
【００３４】
第４実施例において、第１実施例と相違するところは、連通管２８の先端が、弁体１０より上流側の上流側弁箱フランジ３４に穿設されて流路に連通する連通孔に接続されるとともに、シリンダー装置２０の他方のシリンダー室３８が、流量調整弁４０を介装した連通管４２の先端が、弁体１０より下流側の下流側弁箱フランジ４４に穿設されて流路に連通する連通孔に接続されたことにある。
【００３５】
かかる構成において、連通管２８の先端を弁体１０の上流側に連通することで、上流側の高い圧力の流体がシリンダー室２５に流入してピストン２２を移動させ、このピストン２２に連接棒２３とクランクアーム２４により連結される弁体１０を開方向に揺動させる。もって、弁体１０を完全開状態とすることができる。また、他方のシリンダー室３８を流量調整弁４０を介して連通管４２の先端を弁体１０の下流側に連通することで、下流側の高い圧力の流体が他方のシリンダー室３８に流入してピストン２２を移動させ、このピストン２２の移動により弁体１０を閉方向に揺動させる。もって、弁体１０を弁座１２に確実に密着当接させて完全閉状態とすることができる。
【００３６】
なお、上記実施例において、本発明のスイング逆止弁は、流路内に気体が流れるものに限られず、流路内に液体が流れるものに適用することもできる。そして、第２ないし第４実施例において、連通管２８、４２の先端が上流側弁箱フランジ３４、下流側弁箱フランジ４４に穿設した連通孔に接続されるものに限られず、弁箱９に弁体１０よりも上流側または下流側で流路に連通するように穿設された連通孔に接続されても良い。また、第４実施例にあっては、連通管２８、４２に流量調整弁２６、４０がそれぞれに介装されているが、いずれか一方の連通管にのみ介装させても良い。さらに、シリンダー装置２０のピストン２２の移動に対するシリンダー室２５と他方のシリンダー室３８の容積変化が同じであるようにしても良く、また上記実施例とは逆に、ピストン２２の移動に対してシリンダー室２５の容積変化が他方のシリンダー室３８の容積変化よりも小さくなるように設定しても良い。そしてまた、バランス調整手段は、第２および第３実施例のものに限られず、弁体１０の自重による閉方向へ揺動させる力を減殺させるいかなる手段が用いられていても良く、そのバランス調整手段を設ける箇所は、上記実施例に限られるものでない。そしてさらに、弁棒１１とピストン２２を連結する連結機構は、上記実施例のものに限られず、弁体１０の開閉動作とピストン２２の往復移動が連結されるならば、いかなる構造の連結機構であっても良い。
【図面の簡単な説明】
【００３７】
【図１】本発明のスイング逆止弁の第１実施例の構造を示す図である。
【図２】シリンダー装置の配管図であり、（ａ）はシリンダー室内が流量調整弁を介装した連通管の先端が大気に連通した構造を示す図であり、（ｂ）はシリンダー室内が流量調整弁とチェック弁を並列に介装した連通管の先端が液体中に没するように連通した別の構造を示す図である。
【図３】本発明のスイング逆止弁の第２実施例の構造を示す図である。
【図４】図３のシリンダー装置の配管図である。
【図５】本発明のスイング逆止弁の第３実施例の構造を示す図である。
【図６】図５のシリンダー装置の配管図である。
【図７】本発明のスイング逆止弁の第４実施例の構造を示す図である。
【図８】図７のシリンダー装置の配管図である。
【図９】従来のスイング逆止弁の一例の構造を示す縦断面図である。
【図１０】複数台の曝気ブロアがスイング逆止弁をそれぞれに介して集合管に連通された一例の配管図である。
【符号の説明】
【００３８】
１  曝気ブロワ
３  スイング逆止弁
５  送気管
７  集合管
８  散気装置
９  弁箱
１０  弁体
１１  弁棒
１２  弁座
２０  シリンダー装置
２２  ピストン
２３  連接棒
２４  クランクアーム
２５  シリンダー室
２６、４０  流量調整弁
２８、４２  連通管
３０  チェック弁
３２  液体
３４  上流側弁箱フランジ
３６  重り
３８  他方のシリンダー室
４４  下流側弁箱フランジ
４６  コイルバネ
【図１】
2006266416.tif 000003
【図２】
2006266416.tif 000004
【図３】
2006266416.tif 000005
【図４】
2006266416.tif 000006
【図５】
2006266416.tif 000007
【図６】
2006266416.tif 000008
【図７】
2006266416.tif 000009
【図８】
2006266416.tif 000010
【図９】
2006266416.tif 000011
【図１０】
2006266416.tif 000012